(57)【要約】【課題】  簡単な回路構成でコネクターへの給電電圧の制御を行う電源装置および画像形成装置を得る。【解決手段】  ＤＣ／ＤＣコンバーター２２は、フィードバック端子ＦＢの電圧に応じた出力電圧を出力端子Ｐｏに印加する。給電経路２３は、ＤＣ／ＤＣコンバーター２２の出力端子Ｐｏとコネクター５の給電端子Ｐｃとを接続する。電圧監視回路２４は、給電端子Ｐｃの電圧を監視する。フィードバック回路２５は、（ａ）給電端子Ｐｃの電圧が所定の第１閾値未満となったことが検出された場合、ＤＣ／ＤＣコンバーター２２の出力電圧が上昇するようにフィードバック端子ＦＢの電圧を変化させ、（ｂ）給電端子Ｐｃの電圧が、第１閾値より高い所定の第２閾値を超えたことが検出された場合、ＤＣ／ＤＣコンバーター２２の出力電圧が低下するようにフィードバック端子ＦＢの電圧を変化させる。【選択図】  図２
2019159607.tif 000002
【特許請求の範囲】
【請求項１】
フィードバック端子の電圧に応じた出力電圧を出力端子に印加するＤＣ／ＤＣコンバーターと、
コネクターと、
前記ＤＣ／ＤＣコンバーターの出力端子と前記コネクターの給電端子とを接続する給電経路と、
前記給電端子の電圧を監視する電圧監視回路と、
（ａ）前記電圧監視回路により前記給電端子の電圧が所定の第１閾値未満となったことが検出された場合、前記ＤＣ／ＤＣコンバーターの前記出力電圧が上昇するように前記フィードバック端子の電圧を変化させ、（ｂ）前記電圧監視回路により、前記給電端子の電圧が、前記第１閾値より高い所定の第２閾値を超えたことが検出された場合、前記ＤＣ／ＤＣコンバーターの前記出力電圧が低下するように前記フィードバック端子の電圧を変化させるフィードバック回路と、
を備えることを特徴とする電源装置。
【請求項２】
前記電圧監視回路および前記フィードバック回路は、プログラム制御を行うプロセッサーを含まず、専用回路で構成されていることを特徴とする請求項１記載の電源装置。
【請求項３】
前記電圧監視回路は、前記給電端子の電圧と前記第１閾値とを比較し、前記給電端子の電圧と前記第１閾値との比較結果に対応するレベルの第１の２値信号を生成する第１比較回路と、前記給電端子の電圧と前記第２閾値とを比較し、前記給電端子の電圧と前記第２閾値との比較結果に対応するレベルの第２の２値信号を生成する第２比較回路と、前記第１の２値信号および前記第２の２値信号を入力レベルとするフリップフロップと、前記フリップフロップの出力レベルに応じてオンオフ動作するスイッチング部とを備え、
前記フィードバック回路は、前記スイッチング部に接続され、前記スイッチング部のオンオフ状態に応じた分圧比となる分圧回路を備え、前記分圧回路によって前記出力電圧を分圧して得られる電圧を前記フィードバック端子に印加すること、
を特徴とする請求項１または請求項２記載の電源装置。
【請求項４】
請求項１から請求項３のうちのいずれか１項記載の電源装置と、
画像形成を実行する内部装置と、
前記内部装置を制御するコントローラーと、
通常モードにおいて前記電源装置から前記コントローラーへの電源電力の供給を行い、省電力モードにおいて前記電源装置から前記コントローラーへの電源電力の供給を停止する省電力制御部とを備え、
前記ＤＣ／ＤＣコンバーターは、前記通常モードおよび前記省電力モードの両方において、前記出力電圧を前記出力端子に印加し、
前記電圧監視回路は、前記通常モードおよび前記省電力モードの両方において、前記給電端子の電圧を監視し、
前記フィードバック回路は、前記通常モードおよび前記省電力モードの両方において、（ａ）前記電圧監視回路により前記給電端子の電圧が所定の第１閾値未満となったことが検出された場合、前記ＤＣ／ＤＣコンバーターの前記出力電圧が上昇するように前記フィードバック端子の電圧を変化させ、（ｂ）前記電圧監視回路により、前記給電端子の電圧が、前記第１閾値より高い所定の第２閾値を超えたことが検出された場合、前記ＤＣ／ＤＣコンバーターの前記出力電圧が低下するように前記フィードバック端子の電圧を変化させること、
を特徴する画像形成装置。
【発明の詳細な説明】
【技術分野】
【０００１】
本発明は、電源装置および画像形成装置に関するものである。
【背景技術】
【０００２】
ある電子機器（例えば、複合機などの画像形成装置）は、ＵＳＢ（Universal Serial Bus）などといった、給電機能を有するインターフェイスのコネクターを備えている。そのような電子機器は、電源装置を内蔵しており、電源装置は、所定の電源電圧でコネクターに給電を行う（例えば特許文献１参照）。
【先行技術文献】
【特許文献】
【０００３】
【特許文献１】特開２０１６−６８４１１号公報
【発明の概要】
【発明が解決しようとする課題】
【０００４】
上述の電源装置では、ＤＣ／ＤＣコンバーターが出力電圧をコネクターの給電端子に印加し、ＳｏＣ（System-on-a-Chip）が、出力電流の増加に起因してコネクターの給電端子の電圧値が低下すると、コネクターに接続されるデバイスへの入力電圧が許容範囲内になるように、給電端子の電圧値に基づいて、ＤＣ／ＤＣコンバーターの出力電圧を上昇させると判定し、ＤＣ／ＤＣコンバーターの出力電圧を上昇させている。
【０００５】
しかしながら、上述の電源装置では、ＳｏＣを使用して給電電圧の制御を行っているため、回路規模が大きくなり電源装置のコストが高くなってしまう。また、ＳｏＣがソフトウェア処理で給電電圧の制御を行う場合、ＳｏＣのソフトウェア処理においてエラーが発生すると、給電電圧の制御が行われなくなってしまう。
【０００６】
本発明は、上記の問題に鑑みてなされたものであり、簡単な回路構成でコネクターへの給電電圧の制御を行う電源装置および画像形成装置を得ることを目的とする。
【課題を解決するための手段】
【０００７】
本発明に係る電源装置は、フィードバック端子の電圧に応じた出力電圧を出力端子に印加するＤＣ／ＤＣコンバーターと、コネクターと、前記ＤＣ／ＤＣコンバーターの出力端子と前記コネクターの給電端子とを接続する給電経路と、前記給電端子の電圧を監視する電圧監視回路と、（ａ）前記電圧監視回路により前記給電端子の電圧が所定の第１閾値未満となったことが検出された場合、前記ＤＣ／ＤＣコンバーターの前記出力電圧が上昇するように前記フィードバック端子の電圧を変化させ、（ｂ）前記電圧監視回路により、前記給電端子の電圧が、前記第１閾値より高い所定の第２閾値を超えたことが検出された場合、前記ＤＣ／ＤＣコンバーターの前記出力電圧が低下するように前記フィードバック端子の電圧を変化させるフィードバック回路とを備える。
【０００８】
本発明に係る画像形成装置は、上記電源装置と、画像形成を実行する内部装置と、前記内部装置を制御するコントローラーと、通常モードにおいて前記電源装置から前記コントローラーへの電源電力の供給を行い、省電力モードにおいて前記電源装置から前記コントローラーへの電源電力の供給を停止する省電力制御部とを備える。そして、前記ＤＣ／ＤＣコンバーターは、前記通常モードおよび前記省電力モードの両方において、前記出力電圧を前記出力端子に印加し、前記電圧監視回路は、前記通常モードおよび前記省電力モードの両方において、前記給電端子の電圧を監視し、前記フィードバック回路は、前記通常モードおよび前記省電力モードの両方において、（ａ）前記電圧監視回路により前記給電端子の電圧が所定の第１閾値未満となったことが検出された場合、前記ＤＣ／ＤＣコンバーターの前記出力電圧が上昇するように前記フィードバック端子の電圧を変化させ、（ｂ）前記電圧監視回路により、前記給電端子の電圧が、前記第１閾値より高い所定の第２閾値を超えたことが検出された場合、前記ＤＣ／ＤＣコンバーターの前記出力電圧が低下するように前記フィードバック端子の電圧を変化させる。
【発明の効果】
【０００９】
本発明によれば、簡単な回路構成でコネクターへの給電電圧の制御を行う電源装置および画像形成装置が得られる。
【００１０】
本発明の上記又は他の目的、特徴および優位性は、添付の図面とともに以下の詳細な説明から更に明らかになる。
【図面の簡単な説明】
【００１１】
【図１】図１は、本発明の実施の形態に係る画像形成装置の構成を示すブロック図である。
【図２】図２は、図１における電源装置１１の構成の一例を示すブロック図である。
【図３】図３は、図２における電圧監視回路２４の構成を示す回路図である。
【図４】図４は、図２におけるフィードバック回路２５の構成を示す回路図である。
【図５】図５は、図１における電源装置１１の動作について説明するタイミングチャートである。
【発明を実施するための形態】
【００１２】
以下、図に基づいて本発明の実施の形態を説明する。
【００１３】
図１は、本発明の実施の形態に係る画像形成装置の構成を示すブロック図である。図１に示す画像形成装置は、プリンター、複合機などであって、コントローラー１、内部装置２、操作パネル３、通信装置４、コネクター５、電源装置１１、および省電力制御部１２を備える。
【００１４】
コントローラー１は、プロセッサーを備え、画像処理などのデータ処理、内部装置２の制御などをソフトウェア処理で実行する。
【００１５】
内部装置２は、画像形成を実行するデバイス（印刷装置、画像読取装置など）を含む。例えば、この画像形成装置が複合機である場合には、内部装置２には、印刷装置、画像読取装置などが含まれる。
【００１６】
操作パネル３は、この画像形成装置の筐体に設置され、液晶ディスプレイなどの表示装置およびタッチパネルなどの入力装置を有するユーザーインターフェイス装置である。通信装置４は、図示せぬホスト装置などの外部装置との通信を行う内部装置である。通信装置４としては、例えば、ネットワークインターフェイスカードが使用される。
【００１７】
コネクター５は、給電機能を有するインターフェイスのコネクター（例えばＵＳＢのホストコネクター）である。コネクター５には図示せぬデバイスが接続可能であって、コントローラー１は、コネクター５に接続されたデバイスとの間で、コネクター５を介して、データ通信を行う。
【００１８】
電源装置１１は、この画像形成装置内の各部に対して電源電力を供給する。なお、図１において、破線は、電源電力の供給を示している。
【００１９】
省電力制御部１２は、コントローラー１、電源装置１１などからの指令に従って、所定の内部装置への電源電力の供給のオン／オフを行う回路である。省電力制御部１２は、通常モードおよび省電力モードを通じて継続して動作し、省電力モードにおいて所定のイベント（操作パネル３に対する所定の操作、通信装置４による所定の要求の受信、コネクター５の出力電流の増加など）を検出すると所定の内部装置への電源電力の供給を再開して所定の内部装置を起動させる。
【００２０】
つまり、省電力制御部１２は、通常モードにおいて電源装置１１から所定の内部装置への電源電力の供給を行い、省電力モードにおいて電源装置１１から所定の内部装置への電源電力の供給を停止する。なお、省電力モードでは、内部装置２への電源電力の供給も停止される。
【００２１】
図２は、図１における電源装置１１の構成の一例を示すブロック図である。図２に示す電源装置１１は、ＡＣ／ＤＣコンバーター２１、ＤＣ／ＤＣコンバーター２２、給電経路２３、電圧監視回路２４、およびフィードバック回路２５を備える。
【００２２】
ＡＣ／ＤＣコンバーター２１は、商用電源（ＡＣ電源）に接続され、商用電源からの交流電力を直流電力に変換し、直流電力をＤＣ／ＤＣコンバーター２２に出力する。
【００２３】
ＤＣ／ＤＣコンバーター２２は、フィードバック端子ＦＢおよび出力端子Ｐｏを備え、フィードバック端子ＦＢの電圧に応じた出力電圧を出力端子Ｐｏに印加する。ＤＣ／ＤＣコンバーター２２は、リニアレギュレーターでもスイッチングレギュレーターでもよい。
【００２４】
給電経路２３は、ＤＣ／ＤＣコンバーター２２の出力端子Ｐｏとコネクター５の給電端子Ｐｃとを接続する。例えば、コネクター５がＵＳＢのホストコネクターである場合、給電端子Ｐｃは、Ｖｂｕｓ端子である。なお、給電経路２３は分岐しており、ＤＣ／ＤＣコンバーター２２から、他の部位（省電力制御部１２、コントローラー１、操作パネル３、通信装置４など）へも電源電力が供給される。
【００２５】
電圧監視回路２４は、コネクター５の給電端子Ｐｃの電圧を監視する。コネクター５の給電端子Ｐｃの電圧は、ＤＣ／ＤＣコンバーター２２の出力電圧がＤＣ／ＤＣコンバーター２２の出力電流によって給電経路２３で降下した電圧である。
【００２６】
フィードバック回路２５は、（ａ）電圧監視回路２４により給電端子Ｐｃの電圧が所定の第１閾値未満となったことが検出された場合、ＤＣ／ＤＣコンバーター２２の出力電圧が上昇するようにフィードバック端子ＦＢの電圧を変化させ、（ｂ）電圧監視回路２４により、給電端子Ｐｃの電圧が、第１閾値より高い所定の第２閾値を超えたことが検出された場合、ＤＣ／ＤＣコンバーター２２の出力電圧が低下するようにフィードバック端子ＦＢの電圧を変化させる。
【００２７】
ここで、電圧監視回路２４およびフィードバック回路２５は、プログラム制御を行うプロセッサーを含まず、例えば図３および図４に示すような専用回路で構成されている。
【００２８】
図３は、図２における電圧監視回路２４の構成を示す回路図である。図４は、図２におけるフィードバック回路２５の構成を示す回路図である。
【００２９】
例えば図３に示すように、電圧監視回路２４は、比較回路４１、比較回路４２、フリップフロップ４３、およびスイッチング部４４を備える。
【００３０】
比較回路４１は、コネクター５の給電端子Ｐｃの電圧と第１閾値とを比較し、その給電端子Ｐｃの電圧と第１閾値との比較結果に対応するレベルの第１の２値信号を生成する。
【００３１】
図３に示す比較回路４１は、コンパレーターＣＭＰ１と、第１閾値としての基準電圧Ｖｒ１を生成する分圧回路としての抵抗Ｒ１，Ｒ２とを備える。ここでは、コンパレーターＣＭＰ１は、オープンドレインタイプのコンパレーターである。コンパレーターＣＭＰ１は、給電端子Ｐｃの電圧が基準電圧Ｖｒ１より低い場合、その出力電圧Ｖｃ１をハイレベルとし、給電端子Ｐｃの電圧が基準電圧Ｖｒ１以上である場合、その出力電圧Ｖｃ１をローレベルとする。
【００３２】
比較回路４２は、コネクター５の給電端子の電圧と第２閾値とを比較し、その給電端子の電圧と第２閾値との比較結果に対応するレベルの第２の２値信号を生成する。
【００３３】
図３に示す比較回路４２は、コンパレーターＣＭＰ２と、第２閾値としての基準電圧Ｖｒ２を生成する分圧回路としての抵抗Ｒ３，Ｒ４とを備える。ここでは、コンパレーターＣＭＰ２は、オープンドレインタイプのコンパレーターである。コンパレーターＣＭＰ２は、給電端子Ｐｃの電圧が基準電圧Ｖｒ２より高い場合、その出力電圧Ｖｃ２をハイレベルとし、給電端子Ｐｃの電圧が基準電圧Ｖｒ２以下である場合、その出力電圧Ｖｃ２をローレベルとする。
【００３４】
フリップフロップ４３は、第１の２値信号および第２の２値信号を入力レベルとし、出力レベルを生成する。ここでは、フリップフロップ４３は、ＲＳフリップフロップであり、第１の２値信号がＳ入力端子に印加され、第２の２値信号がＲ入力端子に印加される。
【００３５】
スイッチング部４４は、フリップフロップ４３の出力レベルに応じてオンオフ動作する。ここでは、スイッチング部４４は、トランジスターＴｒ、入力抵抗Ｒｄ１、およびバイアス抵抗Ｒｄ２で構成されるデジタルトランジスターである。トランジスターＴｒは、Ｎ型トランジスターであり、トランジスターＴｒのエミッターはグランドに接続されており、トランジスターＴｒのコレクターはフィードバック回路２５に接続されている。
【００３６】
また、例えば図４に示すように、フィードバック回路２５は、スイッチング部４４に接続され、スイッチング部４４のオンオフ状態に応じた分圧比となる分圧回路を備える。図４では、抵抗Ｒ５，Ｒ６，Ｒ７によって分圧回路が構成されている。
【００３７】
抵抗Ｒ５の一端および他端は、出力端子Ｐｏと、図４に示すようにフィードバック端子ＦＢに接続される接続点Ｐｄとにそれぞれ接続され、抵抗Ｒ６の一端および他端は、接続点Ｐｄとグランドとにそれぞれ接続され、抵抗Ｒ７の一端および他端は、接続点Ｐｄとスイッチング部４４のトランジスターＴｒのコレクターとにそれぞれ接続される。
【００３８】
したがって、スイッチング部４４がオン状態である場合、接続点Ｐｄの電圧、つまり、フィードバック端子ＦＢに印加される電圧は、抵抗Ｒ５と、抵抗Ｒ６，Ｒ７の並列回路とによる分圧比に対応する電圧となる。一方、スイッチング部４４がオフ状態である場合、接続点Ｐｄの電圧、つまり、フィードバック端子ＦＢに印加される電圧は、抵抗Ｒ５と抵抗Ｒ６とによる分圧比に対応する電圧となる。
【００３９】
次に、上記電源装置１１の動作について説明する。図５は、図１における電源装置１１の動作について説明するタイミングチャートである。
【００４０】
コネクター５に接続されコネクター５から給電されている図示せぬデバイスの消費電流が増加すると、図５に示すように、コネクター５からの出力電流も増加する。コネクター５からの出力電流が増加すると、給電経路２３での電圧降下が大きくなり、給電端子Ｐｃの電圧が低下する。
【００４１】
電圧監視回路２４では、給電端子Ｐｃの電圧が第１閾値としての基準電圧Ｖｒ１より低くなると、比較回路４１の出力電圧Ｖｃ１がローレベルからハイレベルへ変化し、フリップフロップ４３の出力電圧（Ｑ端子の電圧）がローレベルからハイレベルへ変化し、スイッチング部４４のトランジスターＴｒがオンする。
【００４２】
トランジスターＴｒがオフ状態では、トランジスターＴｒのコレクターは、ハイインピーダンス状態となり、トランジスターＴｒがオン状態では、トランジスターＴｒのコレクターの電圧、（スイッチング部４４の出力電圧）は、グランドレベルとなる。
【００４３】
トランジスターＴｒがオフ状態である場合、トランジスターＴｒのコレクターがハイインピーダンス状態となっており、フィードバック回路２５は、抵抗Ｒ５と抵抗Ｒ６とによる分圧比に対応する基準電圧ＶｒｅｆをＤＣ／ＤＣコンバーター２２のフィードバック端子ＦＢに印加する。
【００４４】
トランジスターＴｒがオフ状態からオン状態へ変化すると、トランジスターＴｒのコレクター電圧がグランドレベルとなり、フィードバック回路２５によりＤＣ／ＤＣコンバーター２２のフィードバック端子ＦＢに印加される電圧は、抵抗Ｒ５と抵抗Ｒ６，Ｒ７の並列回路とによる分圧比に対応する電圧（この時点では、基準電圧Ｖｒｅｆより低い電圧）に変化する。したがって、ＤＣ／ＤＣコンバーター２２は、フィードバック端子ＦＢの電圧が基準電圧Ｖｒｅｆになるまで、ＤＣ／ＤＣコンバーター２２の出力電圧を上昇させる。したがって、フィードバック端子ＦＢの電圧が基準電圧Ｖｒｅｆになるまで、コネクター５の給電端子Ｐｃの電圧も上昇する。
【００４５】
通常、コネクター５のインターフェイスの仕様によって、給電電圧の許容範囲が規定されており、トランジスターＴｒがオフ状態およびオン状態のいずれであっても、給電端子Ｐｃの電圧が、その許容範囲内になるように、ＤＣ／ＤＣコンバーター２２の出力電圧の変動幅は制限されている。
【００４６】
例えば、コネクター５のインターフェイスがＵＳＢである場合、給電電圧の許容範囲は４．７５Ｖ〜５．２５Ｖである。
【００４７】
コネクター５がＵＳＢのホストコネクターである場合、例えば、第１閾値が４．８Ｖとされ第２閾値が５．２Ｖとされ、トランジスターＴｒがオフ状態であるときには、ＤＣ／ＤＣコンバーター２２の出力電圧が４．９Ｖになるように制御され、トランジスターＴｒがオン状態であるときには、ＤＣ／ＤＣコンバーター２２の出力電圧が５．３Ｖ（トランジスターＴｒがオフ状態であるときの４．９Ｖより高い電圧）になるように制御される。なお、トランジスターＴｒがオン状態であるときのＤＣ／ＤＣコンバーター２２の出力電圧は、ＵＳＢの給電電流が仕様上の上限値であっても給電電圧が許容範囲の下限値以上となるように設定される。
【００４８】
このように、コネクター５からの出力電流が小さいときには、給電端子Ｐｃの電圧が（許容範囲の上限値より下限値に近い電圧に）低くされ、これにより消費電力が小さくされ、コネクター５からの出力電流が増加すると、自動的に、ＤＣ／ＤＣコンバーター２２の出力電圧が上昇して給電端子Ｐｃの電圧降下が補償され、給電端子Ｐｃの電圧が許容範囲内に維持される。
【００４９】
このように、コネクター５からの出力電流の増加が電圧監視回路２４により検出されたときに、省電力制御部１２は、例えば電圧監視回路２４の出力電圧に基づいてコネクター５からの出力電流の増加を検知し、コントローラー１への給電を再開し、コントローラー１に省電力モードから通常モードへのモード切り替えを行わせるようにしてもよい。
【００５０】
また、コネクター５からの出力電流が増加した後、コネクター５に接続されているデバイスの消費電流が減少し、コネクター５からの出力電流が減少すると、給電経路２３での電圧降下が小さくなり、給電端子Ｐｃの電圧が上昇する。
【００５１】
電圧監視回路２４では、給電端子Ｐｃの電圧が第２閾値としての基準電圧Ｖｒ２より高くなると、比較回路４２の出力電圧Ｖｃ２がローレベルからハイレベルへ変化し、フリップフロップ４３の出力電圧（Ｑ端子の電圧）がハイレベルからローレベルへ変化し、スイッチング部４４のトランジスターＴｒがオフ状態に戻る。
【００５２】
このとき、フィードバック回路２５によりＤＣ／ＤＣコンバーター２２のフィードバック端子ＦＢに印加される電圧は、抵抗Ｒ５と抵抗Ｒ６，Ｒ７の並列回路とによる分圧比の対応する電圧から抵抗Ｒ５と抵抗Ｒ６とによる分圧比に対応する電圧へ上昇する。
【００５３】
その後、ＤＣ／ＤＣコンバーター２２は、フィードバック端子ＦＢの電圧が基準電圧Ｖｒｅｆになるまで、ＤＣ／ＤＣコンバーター２２の出力電圧を低下させる。したがって、フィードバック端子ＦＢの電圧が基準電圧Ｖｒｅｆになるまで、コネクター５の給電端子Ｐｃの電圧も低下する。
【００５４】
このようにして、コネクター５からの出力電流が再び低くなると、自動的に、ＤＣ／ＤＣコンバーター２２の出力電圧が低下して給電端子Ｐｃの電圧上昇が補償され、給電端子Ｐｃの電圧が、許容範囲内に維持され、許容範囲の上限値より下限値に近い電圧に戻る。
【００５５】
以上のように、上記実施の形態によれば、ＤＣ／ＤＣコンバーター２２は、フィードバック端子ＦＢの電圧に応じた出力電圧を出力端子Ｐｏに印加する。給電経路２３は、ＤＣ／ＤＣコンバーター２２の出力端子Ｐｏとコネクター５の給電端子Ｐｃとを接続する。電圧監視回路２４は、給電端子Ｐｃの電圧を監視する。フィードバック回路２５は、（ａ）電圧監視回路２４により給電端子Ｐｃの電圧が所定の第１閾値未満となったことが検出された場合、ＤＣ／ＤＣコンバーター２２の出力電圧が上昇するようにフィードバック端子ＦＢの電圧を変化させ、（ｂ）電圧監視回路２４により、給電端子Ｐｃの電圧が、第１閾値より高い所定の第２閾値を超えたことが検出された場合、ＤＣ／ＤＣコンバーター２２の出力電圧が低下するようにフィードバック端子ＦＢの電圧を変化させる。
【００５６】
これにより、コントローラー１を使用せずに簡単な回路構成で（つまり、電圧監視回路２４とフィードバック回路２５で）コネクター５への給電電圧の制御が行われる。また、電源装置１１が低コストとなり、さらに、ソフトウェア制御に比べて応答速度が高く、コネクター５からの出力電流の変化に対応してリアルタイムで給電電圧の制御を行うことができる。
【００５７】
また、コントローラー１を給電電圧の制御に使用しないため、省電力モードでは、コネクター５への給電を低電圧で継続したままで、コントローラー１への給電を停止することができ、省電力モードでの消費電力がより低くなる。
【００５８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５９】
例えば、上記実施の形態では、コネクター５は、例えばＵＳＢのホストコネクターであるが、給電機能を有する他のインターフェイスのコネクターであってもよい。
【産業上の利用可能性】
【００６０】
本発明は、例えば、画像形成装置に適用可能である。
【符号の説明】
【００６１】
１  コントローラー
２  内部装置
５  コネクター
１１  電源装置
１２  省電力制御部
２２  ＤＣ／ＤＣコンバーター
２３  給電経路
２４  電圧監視回路
２５  フィードバック回路
４１  比較回路（第１比較回路の一例）
４２  比較回路（第２比較回路の一例）
４３  フリップフロップ
４４  スイッチング部
【図１】
2019159607.tif 000003
【図２】
2019159607.tif 000004
【図３】
2019159607.tif 000005
【図４】
2019159607.tif 000006
【図５】
2019159607.tif 000007